(57)【特許請求の範囲】
【請求項１】
建物正面足場の形態での足場（２）であって、
内側支柱（４）と、
外側支柱（６）と、
前記内側支柱（４）と前記外側支柱（６）の間の横材（８）とを含み、
中空支柱部（１０）では、前記内側支柱（４）が足場保持具（４６）の取り付けのための連結部（３４）のための第１の受容貫通孔（１４）を備え、
前記第１の受容貫通孔（１４）と前記横材（８）の上面（１２）との間の最大距離（ＡＭ１）が３００ｍｍ以下であり、前記第１の受容貫通孔（１４）は、
ａ）前記横材（８）の前記上面（１２）の下に配置されるか、又は
ｂ）第１の細長い穴（１６）として前記横材（８）の前記上面（１２）の上に実現され、
前記足場（２）は足場保持具（４６）を更に含み、
前記足場（２）は前記足場保持具（４６）の取り付けのための連結部（３４）と、前記連結部（３４）を前記支柱部（１０）に固着するための固定要素（３８）とを含み、前記固定要素（３８）は前記連結部（３４）に係止され、
前記連結部（３４）は前記第１の受容貫通孔（１４）で係合する前記固定要素（３８）によって前記内側支柱（４）に固着され、
前記足場保持具（４６）は前記連結部（３４）によって前記内側支柱（４）に固着され、前記足場保持具（４６）は前記連結部（３４）によって周辺に係合されると共に締め付け方式で保持されることを特徴とする足場。
【請求項２】
第２の受容貫通孔（６４）が、
ａ）前記横材（８）の前記上面（１２）の下に、前記内側支柱（４）の前記中空支柱部、特に、中空円筒状の支柱部（１０）で前記第１の受容貫通孔（１４）と対向して配置されるか、又は
ｂ）第２の細長い穴（６６）として前記横材（８）の前記上面（１２）の上に実現され、特に、前記第２の細長い穴（６６）の長手方向軸が前記中空円筒状の支柱部（１０）の支柱長手方向軸（３２）と平行に整列されることを特徴とする請求項１に記載の足場。
【請求項３】
前記外側支柱（６）は、中空円筒状の支柱部（１０）で前記連結部（３４）のための第３の受容貫通孔（１８）を備え、前記第３の受容貫通孔（１８）と前記横材（８）の上面（１２）との間の最大距離が１９０ｍｍ以下であることを特徴とする請求項１又は２に記載の足場。
【請求項４】
第４の受容貫通孔（７２）が、前記外側支柱（６）の前記中空円筒状の支柱部（１０）で前記第３の受容貫通孔（１８）と対向して実現されることを特徴とする請求項３に記載の足場。
【請求項５】
前記固定要素（３８）は、その第１の位置では、前記第１の受容貫通孔（１４）に挿入可能であり、その第２の位置では、前記第１の受容貫通孔（１４）の２つの対向位置の側面で前記支柱部（１０）の壁（５２）の後方に係合することを特徴とする請求項１から４のいずれか１項に記載の足場。
【請求項６】
前記連結部（３４）は、基体（３６）を含み、前記固定要素（３８）は、前記基体（３６）に回転不能に配置されることを特徴とする請求項１から５のいずれか１項に記載の足場。
【請求項７】
前記固定要素（３８）はネック（４８）、及び前記ネック（４８）に関して互いに対向して位置すると共に前記ネック（４８）を超えて横方向に突出する２つの保持部（５０；５０ａ、５０ｂ）を有する突起として実現されることを特徴とする請求項１から６のいずれか１項に記載の足場。
【請求項８】
前記連結部（３４）は、基体（３６）を含み、前記固定要素（３８）は、前記基体（３６）に回転不能に配置され、
阻止要素（６２）が、前記支柱部（１０）に配置され、前記固定要素（３８）は、前記第２の位置では、前記阻止要素（６２）によって前記基体（３６）の上に保持されることを特徴とする、請求項５に記載の足場。
【請求項９】
前記阻止要素（６２）は、前記横材（８）として、又は前記支柱部（１０）に配置される横材受け部（２６）として、具体的にはロゼット（２８）又はロゼット部の形態で実現されることを特徴とする請求項８に記載の足場。
【請求項１０】
前記固定要素（３８）はネック（４８）、及び前記ネック（４８）に関して互いに対向して位置すると共に前記ネック（４８）を超えて横方向に突出する２つの保持部（５０；５０ａ、５０ｂ）を有する突起として実現され、
前記基体（３６）は、長手方向側面（５４）及び横方向側面（５６）を備え、
前記横方向側面（５６）と前記固定要素（３８）の前記ネック（４８）との間の第１の距離（Ａ１）が前記長手方向側面（５４）と前記固定要素（３８）の前記ネック（４８）との間の第２の距離（Ａ２）より長く、
丸い遷移部（５８）が前記長手方向側面（５４）と前記横方向側面（５６）との間に実現され、
前記第１の位置では、前記長手方向側面（５４）は前記阻止要素（６２）に面し、
前記第２の位置では、前記横方向側面（５６）は前記阻止要素（６２）に面し、
前記第２の位置では、前記横方向側面（５６）と前記阻止要素（６２）との間の空間（ＥＦ）は、前記固定要素（３８）の前記ネック（４８）の直径（ＤＨ）を引いた第１の細長い穴（１６）として実現される前記第１の受容貫通孔（１４）の長さ（ＬＬ）の半分以下の大きさであることを特徴とする請求項８又は９に記載の足場。
【請求項１１】
前記固定要素（３８）は、前記第２の位置では、第１の細長い穴（１６）として実現される前記第１の受容貫通孔（１４）の長手方向軸（３０）に横方向に実現される前記第１の受容貫通孔（１４）の２つの対向位置の側面で前記支柱部（１０）の前記壁（５２）の後方に係合することを特徴とする請求項８から１０のいずれか１項に記載の足場。
【請求項１２】
前記固定要素（３８）は、前記第２の位置では、第１の細長い穴（１６）として実現される前記第１の受容貫通孔（１４）の長手方向軸（３０）に沿って前記第１の受容貫通孔（１４）の２つの対向位置の側面で前記支柱部（１０）の前記壁（５２）の後方に係合することを特徴とする請求項８から１０のいずれか１項に記載の足場。
【請求項１３】
前記足場（２）は、足場保持具（４６）のための更なる連結部（７４）を含むことを特徴とする請求項１から１２のいずれか１項に記載の足場。
【請求項１４】
請求項１から１３のいずれか１項に記載の足場の足場支柱（７０）での第１の受容貫通孔（１４）の使用方法であって、前記足場支柱（７０）上での足場保持具（４６）の取り付けに関する第１の受容貫通孔（１４）の使用方法。 
【発明の詳細な説明】
【技術分野】
【０００１】
本発明は、足場、特に、内側支柱、外側支柱、及び内側支柱と外側支柱の間の足場横棒を含む建物正面足場に関する。
【背景技術】
【０００２】
人々が乗る足場又はその周辺に人がいる足場は、落下及び倒壊から守らなければならない。建物正面に建てられる足場は、落下及び倒壊に対する保全のために建物正面に連結することができる。いわゆる足場保持具は、建物正面に固定され、この目的のために足場に固着される。足場保持具は、従来、足場デッキを支持する足場横棒の下の領域に配置される。
【０００３】
標準的連結部によって実質的にシリンダチューブ形状の足場保持具をシリンダチューブ形状の足場支柱に固着することが一般的に知られている。この目的のために、標準的連結部は、互いに直角に整列される２つのクリップ部を備える。各クリップ部は、足場保持具又は足場支柱の周辺に係合する。締め付けねじは、各クリップ部が足場保持具又は足場支柱に締着され得ることによって、標準的連結部の各クリップ部に配置される。
【０００４】
単一の足場保持具は、単一の支柱で、すなわち１つの足場支柱のみ、つまり建物正面に近い内側支柱で、足場に連結することができる。単一の１本の支柱の足場保持具は、ほとんどの場合、建物正面にほぼ直角、かつ足場の長手方向に直角に、その延伸方向にのみ荷重を受け止めることができる。
【０００５】
同様に建物正面と平行に荷重を受け止めることができるようにするために、２つの支柱で、すなわち、内側支柱及び建物正面から遠い外側支柱の両方で、いずれの場合にも標準的連結部で、１つの単一の足場保持具を足場に連結することが既知である。これに代わるものとして、２つの足場保持具は、三角形タイのように足場に配置することができ、２つの足場保持具は、互いに約９０°の角度、いずれの場合にも建物正面に対して約４５°の角度で整列される。２つの足場保持具は、この目的のために、いずれの場合にも標準的連結部で内側支柱に固着することができる。これに代わるものとして、第１の足場保持具は、標準的連結部で内側支柱に固着することができ、第２の足場保持具は、更なる標準的連結部で第１の足場保持具に固着される。
【０００６】
前述の種類の足場固定の欠点は、まず第一に、特に、標準的連結部ごとに２つの締め付けねじを締める必要性によって生じる相当な組立費用である。締め付けねじを手動で締めると、締め付けねじを弱く又は強く締めすぎるという意味で動作エラーの危険性もある。加えて、２本の支柱の足場保持具の場合、足場保持具が標準的連結部によって必要とされる空間により、足場保持具上に配置される足場横棒から間隔を隔てて配置されなければならないので、足場デッキ上の通路高さは、足場を横方向に通る足場保持具によって厳しく制限される。
【発明の概要】
【発明が解決しようとする課題】
【０００７】
本発明の基礎をなす目的は、足場保持具を足場上で組み立てるための作業を簡素化して、速めることである。加えて、２本の支柱の足場保持具の場合、足場保持具の下の通路高さが増加することである。
【課題を解決するための手段】
【０００８】
前述の目的は、請求項１の特徴を用いた足場によって達成される。請求項の従属項は、好ましい更なる応用例をもたらす。
【０００９】
前述の目的は、中空支柱部、特に、中空円筒状の支柱部では、内側支柱が足場保持具の取り付けのための連結部のための第１の受容貫通孔を備え、第１の受容貫通孔と足場横棒の上面との間の最大距離が３００ｍｍ以下であり、第１の受容貫通孔は、
ａ）足場横棒の上面の下に配置されるか、又は
ｂ）第１の細長い穴として足場横棒の上面の上に実現されることを特徴とする序文で示した種類の足場によって達成される。
【００１０】
第１の受容貫通孔は、単純な方式で連結部を内側支柱に固着することを可能にする。連結部は、好ましくは、この目的のために第１の受容貫通孔に掛止（掛合）することができ、その結果、支柱部の壁の後方に係合する。連結部は、半連結部として好ましい方式で実現される。足場支柱の内部への連結が開かれるように、中空足場支柱、特に、内側支柱の壁を片側で突き抜ける開孔を、本明細書では、受容貫通孔として示す。足場横棒の上面の下に配置される第１の受容貫通孔は、好ましくは、第１の細長い穴としても実現され、第１の細長い穴の長手方向軸は、好ましくは、中空円筒状の支柱部の支柱長手方向軸と平行に整列される。第１の細長い穴としての第１の受容貫通孔の実現は、連結部の掛止を更に容易にすることができる。同時に、連結部の規定の整列は、第１の細長い穴によって自動的に調整することができる。
【００１１】
締め付けねじを締める時間がかかり、間違いやすい過程は、標準的連結部を内側支柱に固着するために従来の標準的連結部で使用されるとき、連結部の掛止の結果として省略される。その結果として、足場を構築するときに本発明に係る足場によって時間を節約することができる。このことは、締め付けねじの解放が省略される分解にも同様に当てはまる。これの代わりに、連結部は、内側支柱から外すことができる。連結部が意図せずに外れるのを防ぐ安全要素は、好ましくは連結部及び／又は内側支柱に配置される。
【００１２】
内側支柱での標準的連結部の固着のための標準的連結部の締め付けねじの締め付け及び解放が本発明によって避けられることにより、特に、ねじ回しによって締め付けねじを取り扱うのに必要な空間もまた省略される。その結果として、内側支柱上の足場横棒及び／又は足場デッキの近くに連結部を配置することが可能である。この場合、第１の受容貫通孔と足場横棒の上面との間の最大距離は、好ましい方式では２００ｍｍ以下、特に好ましい方式では１００ｍｍ以下、非常に特に好ましくは６０ｍｍ以下である。最大距離は、支柱長手方向軸と平行に測定される。連結部が足場横棒により近くで固着することができるとき、内側支柱における力の流れもまた改善することができる。足場保持具によって内側支柱に横方向に導入された力による内側支柱の曲げ荷重は、足場保持具と足場横棒との間の距離が縮小するという結果として軽減することができる。
【００１３】
構築される足場の場合、内側支柱は建物正面に面し、外側支柱は、足場の構築された状態で建物正面に背を向ける。足場が足場横棒の両側に解放不能に固着した支柱区分を有する単一部品ユニットを含むとき、内側支柱は、好ましくは２つの支柱区分が異なる長さである限りにおいて２つの支柱区分のうちの短いものを含む。
【００１４】
第１の受容貫通孔は、好ましくは、半径方向に内側支柱の壁を突き抜けるように内側支柱に配置される。好ましい方式では、半径方向は、足場横棒に関して少なくともほぼ直角に、その結果として建物正面と平行に整列される。第１の受容貫通孔は次に、建物正面と平行なほぼ長手方向で足場の端面に向いている。足場保持具から連結部を介して内側支柱への荷重導入は、第１の受容貫通孔の半径方向に実質的に直交する方向に、特に、足場保持具の延在方向に沿って行われる。
【００１５】
第１の受容貫通孔は、第１の受容貫通孔の少なくとも部分が足場横棒の上面の上に配置されるとき、足場横棒の上面の上に配置されると言われている。そうでなければ、第１の受容貫通孔は、足場横棒の上面の下に配置されると言われている。
【００１６】
本発明の好ましい実施の形態
本発明に係る足場の好ましい実施の形態の場合、第１の受容貫通孔と対向して、内側支柱の支柱部における第２の受容貫通孔は、
ａ）足場横棒の上面の下に配置されるか、又は
ｂ）第２の細長い穴として足場横棒の上面の上に実現され、第２の細長い穴の長手方向軸は好ましくは中空円筒状の支柱部の支柱長手方向軸と平行に整列されることが提供される。
【００１７】
足場を構築するときの柔軟性は、連結部が内側支柱の両側に配置されることができることによる結果として高まる。好ましくは、対向するということは、支柱長手方向軸に沿って高さが同じで、且つ支柱長手方向軸に関して直径方向に正反対であるという意味である。第２の受容貫通孔は、好ましくは、第１の受容貫通孔として、特に、同じ形状及び同じ大きさで実現される。第１の受容貫通孔及び第２の受容貫通孔は、典型的には一直線になる。次に、支柱長手方向軸を含む平面に関して鏡対称方式で内側支柱を実現することも可能であり、その結果、内側支柱を設置するとき、（内側支柱が足場横棒に解放不能に連結されない場合）前述の平面に対するその整列に注意を払う必要はない。
【００１８】
中空円筒状の支柱部では、外側支柱は連結部のための第３の受容貫通孔を備え、第３の受容貫通孔と足場横棒の上面との間の最大距離が、好ましくは１９０ｍｍ以下であることが提供される実施の形態が特に好ましい。好ましい方式では、第３の受容貫通孔と足場横棒の上面との間の最大距離は、１５０ｍｍ以下、特に好ましい方式では１００ｍｍ以下、非常に特に好ましくは６０ｍｍ以下である。第３の受容貫通孔は、好ましくは第３の細長い穴として実現され、第３の細長い穴の長手方向軸は、特に、中空円筒状の支柱部の支柱長手方向軸と平行に整列される。第３の受容貫通孔は、第１の受容貫通孔として、特に、同じ形状及び同じ大きさで有利に実現される。第３の受容貫通孔は、２つの支柱を用いた足場、すなわち、内側支柱及び外側支柱に足場保持具を固着することを可能にする。その結果、建物正面に平行な荷重は、２本の支柱足場保持具によって建物正面に吸収及び方向転換することができる。
【００１９】
第４の受容貫通孔が第３の受容貫通孔と対向する外側支柱で配置される前述の実施の形態の更なる応用例が有利である。足場を構築するときの柔軟性は、連結部が外側支柱の両側に配置されることができることによる結果として高まる。第４の受容貫通孔は、好ましくは第４の細長い穴として実現され、第４の細長い穴の長手方向軸は、特に、中空円筒状の支柱部の支柱長手方向軸と平行に整列される。第４の受容貫通孔は、第３の受容貫通孔として、特に、同じ形状及び同じ大きさで有利に実現される。第３の受容貫通孔及び第４の受容貫通孔は、好ましくは一直線になる。次に、支柱長手方向軸を含む平面に対して鏡対称方式で外側支柱を実現することも可能であり、その結果、外側支柱を設置するとき、前述の平面に対するその整列に注意を払う必要はない。
【００２０】
第５の受容貫通孔が支柱長手方向軸に沿って第１の受容貫通孔から間隔を隔てて内側支柱で実現されることが提供される足場は、第５の受容貫通孔と足場横棒の上面との間の最大距離が３００ｍｍ以下、好ましい方式では２００ｍｍ以下、特に好ましい方式では１００ｍｍ以下、非常に特に好ましくは６０ｍｍ以下であるときに有利である。第５の受容貫通孔は、好ましくは第５の細長い穴として実現され、第５の細長い穴の長手方向軸は、特に、中空円筒状の支柱部の支柱長手方向軸と平行に整列される。足場上の足場保持具の配置の場合での柔軟性は、結果として更に高まる可能性がある。第１の受容貫通孔及び第５の受容貫通孔は、ともに足場横棒の上又はともにその下に配置することができ、これに代わるものとして、第１の受容貫通孔は、足場横棒の下に配置することができ、第５の受容貫通孔は、足場横棒の上に配置することができ、又は第１の受容貫通孔は、足場横棒の上に配置することができ、又は第５の受容貫通孔は、足場横棒の下に配置することができる。第５の受容貫通孔は、第１の受容貫通孔として、特に、同じ形状及び同じ大きさで有利に実現される。第１の細長い穴及び第５の細長い穴の長手方向軸は一致することが好ましい。
【００２１】
第６の受容貫通孔が第５の受容貫通孔と対向する内側支柱の支柱部で実現される有利な方式で提供される。第６の受容貫通孔は、好ましくは第６の細長い穴として実現され、第６の細長い穴の長手方向軸は、特に、中空円筒状の支柱部の支柱長手方向軸と平行に整列される。足場を構築するときの柔軟性は、連結部が外側支柱の両側に配置されることができることによる結果として高まる可能性がある。第６の受容貫通孔は、第５の受容貫通孔として、特に、同じ形状及び同じ大きさで有利に実現される。第５の受容貫通孔及び第６の受容貫通孔は、好ましくは一直線になる。次に、支柱長手方向軸を含む平面に対して鏡対称方式で内側支柱を実現することも可能であり、その結果、内側支柱を設置するとき、前述の平面に対するその整列に注意を払う必要はない。
【００２２】
その結果として、足場横棒の上面の上及び／又はその下では、いずれの場合にも、互いに間隔を隔てた最大２つ（対向位置の対）の受容貫通孔は、内側支柱に実現することができる。特に、この場合、受容貫通孔が足場横棒の上縁と下縁との間に配置されることも可能である。これに代わるものとして、受容貫通孔は、足場横棒の上縁又は下縁の高さで配置することができる。
【００２３】
好ましい実施の形態は、足場が足場保持具の取り付けのための連結部と、連結部を支柱部に固着するための固定要素とを含み、固定要素は連結部に係止されることを特徴とする。結果として、連結部の取り扱いは更に容易にすることができ、内側支柱及び／又は外側支柱でのこの組み立ては更に速めることができる。
【００２４】
固定要素は、その第１の位置では、第１の受容貫通孔に挿入可能であり、その第２の位置では、第１の受容貫通孔の２つの対向位置の側面で支柱部の壁の後方に係合することが提供される更なる応用例が特に好ましい。連結部の組み立て及び分解は、結果として大幅に容易にすることができる。組み立てでは、固定要素は、その第１の位置に移動し、第１の受容貫通孔に挿入することができる。固定要素は、次に、その第２の位置に移動することができ、その結果、これは２つの側面上の支柱部の壁の後方に係合し、その結果として連結部を支柱部に固定する。固定要素は、単に手動で、すなわち、道具を使用しない好ましい方式で、その第１の位置からその第２の位置に移動し、その第１の位置に戻ることができる。固定要素は、連結部を内側支柱から分解するためにその第１の位置に移動することができ、その結果、固定要素は受容貫通孔から取り外すことができる。
【００２５】
有利な更なる応用例の場合、連結部が基体を含み、且つ固定要素が基体に回転不能に配置されることが提供される。固定要素の取り扱い、特に、その第１の位置又は第２の位置への固定要素の移動は、基体によって特に単純な方式で可能である。基体はまた、支柱部の外側で連結部を同時に支持するのに役立つことができる。基体は、足場保持具を受容するためのクリップ部に組み込むことができ、又は連結部の別個の構成要素として実現することができる。回転不能というのは、基体に対して少なくとも１つの軸を中心にして固定要素を回転することが可能ではなく、固定要素は基体に対してすべての軸を中心にして回転することができないことが好ましいという意味である。
【００２６】
固定要素がネック及び２つの保持部を有する突起として実現され、この保持部はネックに関して互いに対向して位置し、ネックを超えて横方向に突出する更なる応用例が特に好ましい。その結果として、固定要素は、実質的にＴ字形の方式で実現されることが好ましい。この方式で実現される固定要素は、突起が細長い穴の長手方向軸の方向に整列されるとき、細長い穴に挿入することができる。固定要素を単純に回転する結果として、好ましくは約９０°、例えば８０°〜１００°それを回転する結果として、突起は、支柱部の壁の後方に係合するように移動することができ、その結果、連結部が支柱部に保持される。固定要素のネックは、組み立て中に固定要素の回転を容易にするために円形断面を備えることが好ましく、これに代わるものとして、ネックの断面は矩形方式で実現することができる。これに代わるものである更なる応用例の場合、固定要素は、拡張機構で実現することができ、固定要素の少なくとも２つの保持部は、支柱部の壁の後方に係合するように拡張機構によって移動可能である。
【００２７】
有利な更なる応用例の場合、阻止要素が支柱部に配置され、固定要素は阻止要素によって基体の上の第２の位置に保持されることが提供される。第２の位置から第１の位置への固定要素の意図的ではない移動は、結果として避けることができる。これは、連結部が支柱部にしっかりと固定されるとき、本発明による足場の操作安全性を高める。阻止要素は、支柱長手方向軸の方向にそれぞれの受容貫通孔から間隔を隔てて配置されることが好ましい。
【００２８】
阻止要素が足場横棒として、又は支柱部に配置された足場横棒受け部として、特に、ロゼット又はロゼット部の形態で実現される応用例が好ましい。結果として、支柱部に既に存在する要素は常に、阻止要素として利用することができる。結果として、阻止要素は、特に、製造及び材料の費用に関連して、追加の支出を伴わずに支柱部に実現することができる。
【００２９】
特に有利な応用例の場合、基体及び阻止要素は、固定要素を第２の位置から第１の位置に移動させるために、阻止要素と基体との間の弾性抵抗が克服されなければならないように実現されることが提供される。このように、固定要素は第２の位置から第１の位置に意図せずに移行しないことを確保することができる。弾性抵抗の強度は、手動力を使用して克服することができるように有利に実現される。支柱部からの連結部の分解は次に、道具なしで行うことができる。弾性抵抗はまた、阻止要素を第１の位置から第２の位置に移動させるために克服されなければならない。結果として、連結部を支柱部に組み立てるとき、第２の位置への固定要素の規則的な移行を確認する触知可能な信号を生成することができる。
【００３０】
特に有利な応用例の場合、基体は長手方向側面及び横方向側面を備え、横方向側面と固定要素のネックとの間の第１の距離は長手方向側面と固定要素のネックとの間の第２の距離より長く、丸い遷移部は長手方向側面と横方向側面との間に実現され、第１の位置では、長手方向側面は固定要素に面し、第２の位置では、横方向側面は固定要素に面し、かつ第２の位置では、横方向側面と固定要素との間の空間は固定要素のネックの直径を引いた第１の細長い穴として実現される第１の受容貫通孔の長さの半分以下程度であることが提供される。結果として、阻止要素の阻止動作は、固定要素のネックのネック軸が第１の細長い穴の中間に達するまで、第１の細長い穴の長手方向軸に沿って第２の位置で固定要素を移動させることが可能ではないことによって特に単純な方式で支持することができる。第１の距離及び第２の距離は、ネック軸に直角に測定される。
【００３１】
固定要素は、第２の位置では、第１の受容貫通孔の長手方向軸に横方向に第１の受容貫通孔の２つの対向位置の側面で支柱部の壁の後方に係合し、第１の受容貫通孔は第１の細長い穴として実現される、更なる応用例が特に好ましい。固定要素を第１の位置から第２の位置に移動させて戻すことは、固定要素を回転する結果としてこのように特に単純な方式で行われる。固定要素は次に、特にコンパクトに実現することができる。
【００３２】
これに代わるものとして、固定要素は、第２の位置では、第１の受容貫通孔の長手方向軸に沿って第１の受容貫通孔の２つの対向位置の側面で支柱部の壁の後方に係合し、第１の受容貫通孔は第１の細長い穴として実現される更なる応用例もまた有利である。固定要素、特に、固定要素のネックの断面は、この目的のために細長い方式で実現することができ、その結果、支柱部に対する連結部の整列が固定要素によって予め定義され得る。
【００３３】
連結部は第１の受容貫通孔で係合する固定要素によって内側支柱に固着され、足場は足場保持具を更に含み、且つ足場保持具は連結部によって内側支柱に固着される、特に有利な更なる応用例が提供される。足場保持具は、連結部によって足場に（少しの簡単な手の動きで）迅速に固着することができる。このような足場は、足場保持具が建造物などの建物正面に更に固着されることによる倒壊に対して安全にすることができる。足場保持具は、実質的にシリンダチューブ形状の方式で典型的に実現され、連結部によって把持され、締め付けられ、かつ保持される。
【００３４】
特に好ましい更なる応用例の場合、足場が足場保持具のための更なる連結部を含むことが提供される。２つの足場保持具は、次に、内側支柱又は外側支柱の両側に固着することができる。特に、２つの足場保持具は、三角形タイ取り付けのように建物正面に足場を支持することができる。連結部は、建物正面に直交する足場の横方向に対して足場保持具を曲げることが可能であるようにこの目的のために実現することができる。これに代わるものとして、更なる連結部は、内側支柱及び外側支柱の両方に足場保持具を固着するために使用することができる。
【００３５】
足場支柱への足場保持具の取り付けのために足場の足場支柱での第１の受容貫通孔の使用方法もまた、本発明の枠組みの範囲内に入る。足場上での足場保持具の取り付けは、本発明による使用によって容易になる。足場支柱は、建物正面から離れた外側支柱、又は好ましい方式では、建物正面に近い内側支柱であり得る。第１の受容貫通孔又は足場は、上述のように有利な方式で更なる応用例であり得る。上述のように実現される連結部及び固定要素は、足場保持具の取り付けに使用されることが好ましい。
【００３６】
本発明の更なる利点は、以下の説明及び図面からもたらされる。既に名付けた特徴及び更に拡張される特徴もまた、それ自体個々に、又は任意の組み合わせにおける複合で本発明によるいずれの場合にも使用することができる。図示及び説明した実施の形態は、確定的一覧として理解されるべきではなく、むしろ本発明の表現の例示的特質を有する。
【図面の簡単な説明】
【００３７】
【図１】本発明に係る足場の第１の実施の形態の概略図を示す。
【図２】第１の受容貫通孔及び第５の受容貫通孔を有する本発明に係る足場の第２の実施の形態の内側支柱の概略図を示す。
【図３】足場保持具のための第１の受容貫通孔で保持された連結部を有する本発明に係る足場の第３の実施の形態の内側支柱の概略的縦断面図を示す。
【図４】連結部の基体に注目した図３の内側支柱の概略的側面図を示す。
【図５】掛止固定要素及び連結部の基体を有する図３の内側支柱の概略的横断面図を示す。
【図６】第１の受容貫通孔及び第２の受容貫通孔を有する本発明に係る足場の第４の実施の形態の内側支柱の概略的部分破断背面図を示す。
【図７】図６の内側支柱の概略的側面図を示す。
【図８】第３の受容貫通孔及び第４の受容貫通孔並びに更なる連結部を用いた本発明による足場の第５の実施の形態の外側支柱の概略的縦断面図を示す。
【発明を実施するための形態】
【００３８】
本発明を図面に示し、例示的実施の形態のためにより詳細に説明する。
【００３９】
図１は、足場２の第１の実施の形態の概略図を示しており、この足場２は、本明細書では、内側支柱４と、外側支柱６と、内側支柱４と外側支柱６の間の足場横棒８とを有する建物正面足場として実現される。内側支柱４及び外側支柱６は、本明細書では、支柱区分として実現されており、この区分はユニットを形成するように足場横棒８に解放不能に連結される。足場デッキ（図示せず）は、足場横棒８に固着することができる。
【００４０】
内側支柱６は、第１の受容貫通孔１４を備えており、この貫通孔１４は、本明細書では、足場横棒８の上面１２の下の中空円筒状の支柱部１０において第１の細長い穴１６として実現される。第１の受容貫通孔１４は、足場保持具（図示せず）のための連結部（図示せず）を内側支柱４に固着するのに役立つ。足場横棒８の上面１２は、この場合、足場２の組立て（建てられた）状態に関連している。
【００４１】
第３の受容貫通孔１８は、中空円筒部１０での外側支柱６において実現される。第３の受容貫通孔１８は、本明細書では、第３の細長い穴２０として実現され、第１の受容貫通孔１４と同じ高さで（足場横棒８の上面１２から離れた同じ距離で）実現される。これは、いずれの場合にも連結部（図示せず）によって内側支柱４及び外側支柱６の両方に足場保持具（図示せず）を固着することを可能にする。
【００４２】
第５の細長い穴２４として実現される第５の受容貫通孔２２は、本明細書では、第１の受容貫通孔１４から間隔を隔てて内側支柱４の中空円筒状の支柱部１０において配置される。第５の受容貫通孔２２は、足場保持具（図示せず）に更に固着する選択肢を与える。
【００４３】
図２は、第１の受容貫通孔１４及び第５の受容貫通孔２２を有する本発明に係る足場の第２の実施の形態の内側支柱４の概略図を示す。足場横棒８は、本明細書では、環状周方向ロゼット２８の形態で足場横棒受け部２６によって内側支柱４に固着される。
【００４４】
第１の受容貫通孔１４は、本明細書では、ロゼット２８の直下に配置され、第１の細長い穴１６として実現される。第１の受容貫通孔１４と足場横棒８の上面１２との間の最大距離ＡＭ１は、本明細書では、１１０ｍｍ未満である。この場合、第１の細長い穴１６の長手方向軸３０は、中空円筒状の支柱部１０の支柱長手方向軸３２と平行に整列される。
【００４５】
図３、図４及び図５は、本発明に係る足場の第３の実施の形態の詳細の概略図を示す。図３は、足場の内側支柱４及び内側支柱４に固着された連結部３４の概略的縦断面図を示す。図４は、連結部３４の基体３６に注目した内側支柱４（図３参照）の概略的側面図を示す。図５は、図４の面Ｖ‐Ｖに沿った内側支柱４及び連結部３４の基体３６（図３参照）の概略的縦断面図を示す。本発明に係る足場の第３の実施の形態を図３、図４及び図５の概要で後述する。
【００４６】
連結部３４は、固定要素３８を有する基体３６と、クリップ部４０と、締め付け金具４２と、締め付けねじ４４とを含む。明確にするために、図４及び図５は、各々、固定要素３８を有する基体３６を簡単に示す。足場保持具４６は、クリップ部４０及び締め付け金具４２によって周囲に係合される。足場保持具４６は、締め付けねじ４４を締める結果として連結部３４に固定される。
【００４７】
連結部３４は、第１の受容貫通孔１４で保持される。固定要素３８は、本明細書では、ネック４８及び２つの保持部５０を有するＴ字形の突起として実現され、２つの保持部５０はネック４８に関して互いに対向して位置し、ネック４８を超えて突出する。２つの保持部５０は、支柱長手方向軸３２に対して横方向に第１の受容貫通孔１４の２つの対向位置の側面で中空円筒状の支柱部１０の壁５２の後方に係合する。
【００４８】
連結部３４の固着及び解放は、連結部３４を回転する結果として、本明細書では、それを９０°回転する結果としてバヨネットクロージャのように本明細書では行われる。第１の受容貫通孔１４は、この目的のために第１の細長い穴１６として実現される。第１の細長い穴１６の長さＬＬは、この連結では、固定要素３８が第１の受容貫通孔１４に挿入することができるか、又は図示した第２の位置に対して９０°回転する第１の位置で第１の受容貫通孔１４から取り外すことができるような長さであるように選択される。
【００４９】
連結部３４の基体３６は、本明細書では、長手方向側面５４、横方向側面５６、及び長手方向側面５４と横方向側面５６との間の丸い遷移部５８を有する平板として実現される。この場合、横方向側面５６とネック４８との間の第１の距離Ａ１は、長手方向側面５４とネック４８との間の第２の距離Ａ２より長い。固定要素３８は、基体３６に回転不能に固着され、本明細書では、固定要素３８のネック４８は、基体３６の中央孔６０内に溶接される。
【００５０】
第１の受容貫通孔１４は、本明細書では足場の内側支柱４上のロゼット２８の直下に配置される。ロゼット２８は、足場横棒（図示せず）又は内側支柱４上の足場の他の構成要素を固着するのに役立つことができる。ロゼット２８は、本明細書では、阻止要素６２として更に役割を果たす。固定要素３８の第２の位置で阻止要素６２に面する阻止要素６２と横方向側面５６との間の空間ＥＦは、本明細書では、連結部３４が第２の位置から第１の位置に回転するとき（逆の場合も同様）、丸い遷移部５８が弾性抵抗を克服する阻止要素６２を超えなければならないように選択される。特に、空間ＥＦは、本明細書では、固定要素３８のネック４８の直径ＤＨを引いた第１の細長い穴１６の長さＬＬの半分未満の大きさである。
【００５１】
図示した第２の位置に対して９０°回転する連結部３４及び固定要素３８の第１の位置では、連結部３４は、固定要素３８が内側支柱４から取り外すことができるまで上方に移動させることができる。この目的のために、基体３６の長手方向側面５４と固定要素のネック４８との間の第２の距離Ａ２は、それに応じて横方向側面５６とネック４８との間の第１の空間Ａ１より短く選択される。
【００５２】
図６は、本発明に係る足場の第４の実施の形態の内側支柱４の概略的部分破断背面図を示す。第１の受容貫通孔１４及び第２の受容貫通孔６４は、内側支柱４において実現される。第２の受容貫通孔６４は、支柱長手方向軸３２に沿って同じ高さで第１の受容貫通孔１４に直径方向に対向して配置される。加えて、第２の受容貫通孔６４は、第１の受容貫通孔１４と同じ形状及び大きさで実現され、その結果、同じ連結部（図示せず）は第１の受容貫通孔１４又は第２の受容貫通孔６４に選択的に固着することができる。ロゼット２８は、第１の受容貫通孔１４及び第２の受容貫通孔６４の上の内側支柱４に配置され、足場横棒８はロゼット２８に固着可能である。
【００５３】
図７は、図６の内側支柱４の概略的側面図を示す。第２の受容貫通孔６４は、本明細書では丸い短辺６８ａ、６８ｂを有する第２の細長い穴６６として実現される。この場合、第１の短辺６８ａは、ロゼット２８の方に直接向いており、第２の短辺６８ｂは、ロゼット２８の真反対に向いている。
【００５４】
図８は、本発明に係る足場の第５の実施の形態の足場支柱７０の概略的縦断面図を示す。足場支柱７０は、本明細書では、外側支柱６として実現される。第３の受容貫通孔１８及び第４の受容貫通孔７２は、外側支柱６で実現される。足場保持具４６は、連結部（図示せず）によって内側支柱（図示せず）上、かつ更なる連結部７４によって外側支柱６上の両方の周辺に係合され、それらの連結部に締め付け方式で保持される。更なる連結部７４は、第４の受容貫通孔７２で固着される。第４の受容貫通孔７２は、本明細書では、第４の細長い穴７６として実現される。
【００５５】
更なる連結部７４の固定要素３８は、更なる連結部７４の基体３６を超える耳状の突起として実現される。固定要素３８のネック４８を超えて突出する２つの保持部５０、すなわち上部保持部５０ａ及び下部保持部５０ｂは、図示した第２の位置で支柱長手方向軸３２に沿って２つの対向位置の側面で外側支柱６の壁５２の後方に係合する。
【００５６】
外側支柱６上又はそれからの更なる連結部７４の組み立て又は分解のための第１の位置では、更なる連結部７４は、第４の受容貫通孔７２で上方に摺動し、その結果、ネック４８は第４の細長い穴７６の上面に当接し、底面では外側支柱６から離れて半径方向に旋回する。刻み目７８は、旋回を可能にするために上部保持部５０ａに実現される。したがって、図３に示した連結部３４の場合と同様に回転は生じない。
【００５７】
下部保持部５０ｂは、本明細書では、固定要素３６を外側支柱６に掛止するか、又は固定要素３６を外側支柱６から外すために、下部保持部５０ｂは下部保持部５０ｂと第４の細長い穴７６の底部短辺との間の弾性抵抗を克服しなければならないネック４８を超えてある程度突出する。加えて、阻止要素（図示せず）は、第４の受容貫通孔７２の上に配置されるロゼット２８と、固定要素３８が第２の位置で保持されるような基体３６との間に配置することができる。阻止要素は、例えば、ロゼット２８の下の足場支柱７０の周辺に係合することができるか、又はロゼット２８に固着することができる。
【００５８】
図面のすべての図の概要を実施することによって、要約すると、本発明は、内側支柱４及び外側支柱６を有する足場２に関する。少なくとも内側支柱４は、第１の受容貫通孔１４を備える。第１の受容貫通孔１４は、足場２を連結部３４に連結するか、又は足場２を建物正面に固定するのに役立つ。内側支柱４及び外側支柱６は、足場２の足場横棒８によって連結される。第１の受容貫通孔１４は、内側支柱４上の足場横棒８の上面１２の上又はその下に実現することができる。「下に」及び「上に」という用語は、この場合、本発明の枠組みの範囲内で、建てられた状態での足場２を指す。第１の受容貫通孔１４が足場横棒８の上面１２上に実現されるとき、これは非円形の受容貫通孔の形状で、特に、第１の細長い穴１６の形状で実現される。第１の受容貫通孔１４は、３００ｍｍ未満、特に、２５０ｍｍ未満、特に好ましい方式では２００ｍｍ未満の足場横棒８の上面１２から間隔を隔てている。更に好ましい方式では、第１の受容貫通孔１４は、内側支柱４を完全に貫通し、その結果、内側支柱４は第１の受容貫通孔１４と対向して位置する第２の受容貫通孔６４を備える。本発明の特に好ましい構成では、外側支柱６は、２本の支柱の足場保持具で足場２を建物正面に固定するために第１の受容貫通孔１４と同じ垂直の高さで第３の受容貫通孔１８を備えており、この足場保持具は第１の受容貫通孔１４及び第３の受容貫通孔１８の両方に連結可能である。第３の受容貫通孔１８は、外側支柱６を完全に貫通することができ、その結果、外側支柱６は第３の受容貫通孔１８と対向して位置する第４の受容貫通孔７２を備える。
【図１】
0006532960.tif 000002
【図２】
0006532960.tif 000003
【図３】
0006532960.tif 000004
【図４】
0006532960.tif 000005
【図５】
0006532960.tif 000006
【図６】
0006532960.tif 000007
【図７】
0006532960.tif 000008
【図８】
0006532960.tif 000009